【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
車両走行にかかる情報を音声によって出力する情報提供機能と、音情報を含むコンテンツの出力を行うオーディオ機能とを備えた運転支援システムであって、
前記情報提供機能が音声を用いた情報提供を行う場合に、前記オーディオ機能が出力するセンター出力の音量を調整する音情報調整手段を備えたことを特徴とする運転支援システム。
【請求項２】
前記音情報調整手段は、前記オーディオ機能が前記センター出力に対応するセンター出力データを含む多チャンネル音源データを読み出した場合に、当該多チャンネル音源データに示された前記センター出力を低減もしくは消去することを特徴とする請求項１に記載の運転支援システム。
【請求項３】
前記音情報調整手段は、前記オーディオ機能が読み出した音源の種別に基づいて、前記センター出力の低減もしくは消去に用いる処理を実行することを特徴とする請求項１または２に記載の運転支援システム。
【請求項４】
前記音情報調整手段は、前記オーディオ機能による特殊効果の付加を停止することを特徴とする請求項１〜３のいずれか一つに記載の運転支援システム。
【請求項５】
前記音情報調整手段は、前記特殊効果の付加の停止を、運転席および助手席の少なくとも一つの席に対する出力について実行することを特徴とする請求項４に記載の運転支援システム。
【請求項６】
車の走行にかかる情報を音声によって出力する情報提供機能と、音情報を含むコンテンツの出力を行なうオーディオ機能とを備えた運転支援システムであって、
前記情報提供機能が音声を用いた情報提供を行なう場合に、前記オーディオ機能が出力する音情報の音量を調整する音情報調整手段と、を備え、
前記音情報調整手段は、少なくとも運転席に対して出力する音情報の内容を調整する場合に、他の座席に対して出力する音情報を補正することを特徴とする運転支援システム。
【請求項７】
地図情報と、前記地図情報を基に経路案内を行なうナビゲーションユニットと、
記録媒体および／または受信放送からの音情報を再生可能なオーディオユニットと、
前記ナビゲーションユニットにおいて、音声による案内情報の提供を行なう場合に、前記オーディオユニットで再生される音情報のセンター出力の音量を調整する音情報調整手段と、を備えたことを特徴とするナビゲーション装置。
【請求項８】
地図情報と、前記地図情報を基に経路案内を行なうナビゲーションユニットと、
記録媒体および／または受信放送からの音情報を再生可能なオーディオユニットと、
前記ナビゲーションユニットにおいて、音声による案内情報の提供を行なう場合に、前記オーディオユニットで再生される音情報の音量を調整する音情報調整手段と、を備え、
前記音情報調整手段は、少なくとも運転席に対して出力する音情報の内容を調整する場合に、他の座席に対して出力する音情報を補正することを特徴とするナビゲーション装置。
【手続補正２】
【補正対象書類名】明細書
【補正対象項目名】発明の名称
【補正方法】変更
【補正の内容】
【発明の名称】運転支援システムおよびナビゲーション装置
【手続補正３】
【補正対象書類名】明細書
【補正対象項目名】０００１
【補正方法】変更
【補正の内容】
【０００１】
この発明は、車両走行にかかる情報を音声によって出力する情報提供機能と、音情報を含むコンテンツの出力を行うオーディオ機能とを備えた運転支援システム、もしくはかかる運転支援システムを構成するナビゲーション装置に関し、特に音楽再生中における案内音声の聞き取り易さを向上した運転支援システムおよびナビゲーション装置に関するものである。
【手続補正４】
【補正対象書類名】明細書
【補正対象項目名】００１４
【補正方法】変更
【補正の内容】
【００１４】
上述した課題を解決し、目的を達成するため、請求項１の発明に係る運転支援システムは、車両走行にかかる情報を音声によって出力する情報提供機能と、音情報を含むコンテンツの出力を行うオーディオ機能とを備えた運転支援システムであって、前記情報提供機能が音声を用いた情報提供を行う場合に、前記オーディオ機能が出力するセンター出力の音量を調整する音情報調整手段を備えたことを特徴とする。
【手続補正５】
【補正対象書類名】明細書
【補正対象項目名】００１５
【補正方法】変更
【補正の内容】
【００１５】
この請求項１の発明によれば運転支援システムは、情報提供機能が音声を用いた情報提供を行う場合に、オーディオ機能が出力する音情報の内容、特に音声部分に対応する可能性の高いセンター出力の音量を調整する。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】変更
【補正の内容】
【００３０】
また、請求項２の発明に係る運転支援システムは、請求項１に記載の発明において、前記音情報調整手段は、前記オーディオ機能が前記センター出力に対応するセンター出力データを含む多チャンネル音源データを読み出した場合に、当該多チャンネル音源データに示された前記センター出力を低減もしくは消去することを特徴とする。
【手続補正２１】
【補正対象書類名】明細書
【補正対象項目名】００３１
【補正方法】変更
【補正の内容】
【００３１】
この請求項２の発明によれば運転支援システムは、情報提供機能が音声を用いた情報提供を行う場合に、オーディオ機能が読み出した多チャンネル音源データに示されたセンター出力を低減もしくは消去する。
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】変更
【補正の内容】
【００３６】
また、請求項３の発明に係る運転支援システムは、請求項１または２に記載の発明において、前記音情報調整手段は、前記オーディオ機能が読み出した音源の種別に基づいて、前記センター出力の低減もしくは消去に用いる処理を実行することを特徴とする。
【手続補正２７】
【補正対象書類名】明細書
【補正対象項目名】００３７
【補正方法】変更
【補正の内容】
【００３７】
この請求項３の発明によれば運転支援システムは、情報提供機能が音声を用いた情報提供を行う場合に、オーディオ機能が読み出した音源データの種別を識別し、センター出力の低減もしくは消去に用いる処理を自動選択する。
【手続補正２８】
【補正対象書類名】明細書
【補正対象項目名】００３８
【補正方法】変更
【補正の内容】
【００３８】
また、請求項４の発明に係る運転支援システムは、請求項１〜３のいずれか一つに記載の発明において、前記音情報調整手段は、前記オーディオ機能による特殊効果の付加を停止することを特徴とする。
【手続補正２９】
【補正対象書類名】明細書
【補正対象項目名】００３９
【補正方法】変更
【補正の内容】
【００３９】
この請求項４の発明によれば運転支援システムは、情報提供機能が音声を用いた情報提供を行う場合に、オーディオ機能による特殊効果の付加を停止する。
【手続補正３０】
【補正対象書類名】明細書
【補正対象項目名】００４０
【補正方法】削除
【補正の内容】
【手続補正３１】
【補正対象書類名】明細書
【補正対象項目名】００４１
【補正方法】削除
【補正の内容】
【手続補正３２】
【補正対象書類名】明細書
【補正対象項目名】００４２
【補正方法】削除
【補正の内容】
【手続補正３３】
【補正対象書類名】明細書
【補正対象項目名】００４３
【補正方法】削除
【補正の内容】
【手続補正３４】
【補正対象書類名】明細書
【補正対象項目名】００４４
【補正方法】削除
【補正の内容】
【手続補正３５】
【補正対象書類名】明細書
【補正対象項目名】００４５
【補正方法】削除
【補正の内容】
【手続補正３６】
【補正対象書類名】明細書
【補正対象項目名】００４６
【補正方法】削除
【補正の内容】
【手続補正３７】
【補正対象書類名】明細書
【補正対象項目名】００４７
【補正方法】削除
【補正の内容】
【手続補正３８】
【補正対象書類名】明細書
【補正対象項目名】００４８
【補正方法】変更
【補正の内容】
【００４８】
また、請求項５の発明に係る運転支援システムは、請求項４に記載の発明において、前記音情報調整手段は、前記特殊効果の付加の停止を、運転席および助手席の少なくとも一つの席に対する出力について実行することを特徴とする。
【手続補正３９】
【補正対象書類名】明細書
【補正対象項目名】００４９
【補正方法】変更
【補正の内容】
【００４９】
この請求項５の発明によれば運転支援システムは、情報提供機能が音声を用いた情報提供を行う場合に、運転席や助手席へのオーディオ出力に対する特殊効果の付加を停止する。
【手続補正４０】
【補正対象書類名】明細書
【補正対象項目名】００５０
【補正方法】変更
【補正の内容】
【００５０】
また、請求項６の発明に係る運転支援システムは、車の走行にかかる情報を音声によって出力する情報提供機能と、音情報を含むコンテンツの出力を行なうオーディオ機能とを備えた運転支援システムであって、前記情報提供機能が音声を用いた情報提供を行なう場合に、前記オーディオ機能が出力する音情報の音量を調整する音情報調整手段と、を備え、前記音情報調整手段は、少なくとも運転席に対して出力する音情報の内容を調整する場合に、他の座席に対して出力する音情報を補正することを特徴とする。
【手続補正４１】
【補正対象書類名】明細書
【補正対象項目名】００５１
【補正方法】変更
【補正の内容】
【００５１】
この請求項６の発明によれば運転支援システムは、情報提供機能が音声を用いた情報提供を行う場合に、少なくとも運転席に対して出力する音情報の内容を調整し、他の座席に対して出力する音情報を補正する。
【手続補正４２】
【補正対象書類名】明細書
【補正対象項目名】００５２
【補正方法】変更
【補正の内容】
【００５２】
また、請求項７の発明に係るナビゲーション装置は、地図情報と、前記地図情報を基に経路案内を行なうナビゲーションユニットと、記録媒体および／または受信放送からの音情報を再生可能なオーディオユニットと、前記ナビゲーションユニットにおいて、音声による案内情報の提供を行なう場合に、前記オーディオユニットで再生される音情報のセンター出力の音量を調整する音情報調整手段と、を備えたことを特徴とする。
【手続補正４３】
【補正対象書類名】明細書
【補正対象項目名】００５３
【補正方法】変更
【補正の内容】
【００５３】
この請求項７の発明によればナビゲーション装置は、音声による経路案内を実行する場合に、オーディオユニットで再生される音情報のセンター出力の音量を調整する。
【手続補正４４】
【補正対象書類名】明細書
【補正対象項目名】００５４
【補正方法】変更
【補正の内容】
【００５４】
また、請求項８の発明に係るナビゲーション装置は、地図情報と、前記地図情報を基に経路案内を行なうナビゲーションユニットと、記録媒体および／または受信放送からの音情報を再生可能なオーディオユニットと、前記ナビゲーションユニットにおいて、音声による案内情報の提供を行なう場合に、前記オーディオユニットで再生される音情報の音量を調整する音情報調整手段と、を備え、前記音情報調整手段は、少なくとも運転席に対して出力する音情報の内容を調整する場合に、他の座席に対して出力する音情報を補正することを特徴とする。
【手続補正４５】
【補正対象書類名】明細書
【補正対象項目名】００５５
【補正方法】変更
【補正の内容】
【００５５】
この請求項８の発明によればナビゲーション装置は、ナビゲーションユニットが案内音声を出力する場合に、少なくとも運転席に対して出力する音情報の内容を調整し、他の座席に対して出力する音情報を補正する。
【手続補正４６】
【補正対象書類名】明細書
【補正対象項目名】００５６
【補正方法】変更
【補正の内容】
【００５６】
本発明によれば運転支援システムは、情報提供機能が音声を用いた情報提供を行う場合に、オーディオ機能が出力する音情報の内容を調整するので、案内音声の聞き取り易さを向上し、かつオーディオ出力を同時に確保可能な運転支援システム、およびナビゲーション装置を得ることができるという効果を奏する。
【手続補正４７】
【補正対象書類名】明細書
【補正対象項目名】００５７
【補正方法】削除
【補正の内容】
【手続補正４８】
【補正対象書類名】明細書
【補正対象項目名】００５８
【補正方法】削除
【補正の内容】
【手続補正４９】
【補正対象書類名】明細書
【補正対象項目名】００５９
【補正方法】削除
【補正の内容】
【手続補正５０】
【補正対象書類名】明細書
【補正対象項目名】００６０
【補正方法】削除
【補正の内容】
【手続補正５１】
【補正対象書類名】明細書
【補正対象項目名】００６１
【補正方法】削除
【補正の内容】
【手続補正５２】
【補正対象書類名】明細書
【補正対象項目名】００６２
【補正方法】削除
【補正の内容】
【手続補正５３】
【補正対象書類名】明細書
【補正対象項目名】００６３
【補正方法】削除
【補正の内容】
【手続補正５４】
【補正対象書類名】明細書
【補正対象項目名】００６４
【補正方法】削除
【補正の内容】
【手続補正５５】
【補正対象書類名】明細書
【補正対象項目名】００６５
【補正方法】削除
【補正の内容】
【手続補正５６】
【補正対象書類名】明細書
【補正対象項目名】００６６
【補正方法】削除
【補正の内容】
【手続補正５７】
【補正対象書類名】明細書
【補正対象項目名】００６７
【補正方法】削除
【補正の内容】
【手続補正５８】
【補正対象書類名】明細書
【補正対象項目名】００６８
【補正方法】削除
【補正の内容】
【手続補正５９】
【補正対象書類名】明細書
【補正対象項目名】００６９
【補正方法】削除
【補正の内容】
【手続補正６０】
【補正対象書類名】明細書
【補正対象項目名】００７０
【補正方法】削除
【補正の内容】
【手続補正６１】
【補正対象書類名】明細書
【補正対象項目名】００７１
【補正方法】削除
【補正の内容】
【手続補正６２】
【補正対象書類名】明細書
【補正対象項目名】００７２
【補正方法】削除
【補正の内容】
【手続補正６３】
【補正対象書類名】明細書
【補正対象項目名】００７３
【補正方法】削除
【補正の内容】
【手続補正６４】
【補正対象書類名】明細書
【補正対象項目名】００７４
【補正方法】削除
【補正の内容】
【手続補正６５】
【補正対象書類名】明細書
【補正対象項目名】００７５
【補正方法】削除
【補正の内容】
【手続補正６６】
【補正対象書類名】明細書
【補正対象項目名】００７６
【補正方法】削除
【補正の内容】